【手続補正書】
【提出日】平成15年7月28日(2003.7.28)
【手続補正１】
【補正対象書類名】明細書
【補正対象項目名】発明の名称
【補正方法】変更
【補正の内容】
【発明の名称】コード印刷装置
【手続補正２】
【補正対象書類名】明細書
【補正対象項目名】特許請求の範囲
【補正方法】変更
【補正の内容】
【特許請求の範囲】
【請求項１】
情報を入力する入力手段と、
上記入力手段により入力された情報から光学的に読み取り可能なコードイメージを生成するコードイメージ生成手段と、
上記コードイメージ生成手段で生成された上記コードイメージを所定の印刷媒体上に光学的に読み取り可能に印刷する印刷手段と、
上記印刷手段により印刷されるコードイメージの上記印刷媒体上での印刷位置を設定する印刷位置設定手段と、
を具備するコード印刷装置において、
上記印刷位置設定手段によって設定された印刷位置に上記コードイメージとして印刷可能な情報のデータの量を設定するデータ量設定手段と、
上記入力手段により入力された情報のデータの量を検出するデータ量検出手段と、
上記データ量設定手段により設定されたデータの量と、上記データ量検出手段により検出されたデータの量とを比較して、上記入力手段により入力された情報が上記印刷位置設定手段によって設定された印刷位置に上記コードイメージとして印刷できるかどうかを判断する判断手段と、
上記入力手段により入力された情報が上記印刷位置に上記コードイメージとして印刷できないと上記判断手段によって判断されたときに警告を行う警告手段と、
を更に具備することを特徴とするコード印刷装置。
【請求項２】
上記データ量は、上記データの長さを含むことを特徴とする請求項１に記載のコード印刷装置。
【請求項３】
上記印刷位置設定手段によって設定された上記印刷位置が複数有るとき、
上記データ量設定手段は、上記複数の印刷位置のうち、最も多くのデータ量を印刷できる印刷位置のデータ量を設定することを特徴とする請求項１に記載のコード印刷装置。
【請求項４】
上記印刷位置設定手段は、上記印刷媒体上の予め固定された位置に上記コードイメージの印刷位置を設定する固定位置設定手段を含むことを特徴とする請求項１に記載のコード印刷装置。
【請求項５】
上記印刷媒体上における上記コードイメージ以外の他の情報を編集する編集手段を更に具備し、
上記固定位置設定手段は、上記印刷媒体上の予め固定された位置に上記コードイメージの印刷位置を設定する際、上記印刷媒体上におけるコードイメージの、上記他の情報に対する重なり状態を検出する重なり状態検出手段を含み、
上記編集手段は、上記重なり状態検出手段で検出された結果に応じて、上記他の情報を編集することを特徴とする請求項４に記載のコード印刷装置。
【請求項６】
上記編集手段の他の情報に対する編集は、この他の情報の上記印刷媒体上におけるレイアウトを変更する処理であることを特徴とする請求項５に記載のコード印刷装置。
【請求項７】
上記編集手段の他の情報に対する編集は、この他の情報を縮小する処理であることを特徴とする請求項５に記載のコード印刷装置。
【請求項８】
上記編集手段は、上記重なり状態検出手段で検出された結果に応じて警告を行う手段を含むことを特徴とする請求項５に記載のコード印刷装置。
【請求項９】
上記固定位置設定手段は、上記コードイメージの印刷位置を上記印刷媒体上の予め固定された複数の異なる位置に設定することを特徴とする請求項４に記載のコード印刷装置。
【請求項１０】
上記印刷位置設定手段は、上記印刷媒体上における上記コードイメージの印刷位置を入力指定するコード印刷位置指定手段を含むことを特徴とする請求項１に記載のコード印刷装置。
【請求項１１】
上記コード印刷位置指定手段は、予め上記印刷媒体上において設定された複数の上記印刷位置の中から所望の印刷位置を選択するための入力操作部を含むことを特徴とする請求項１０に記載のコード印刷装置。
【請求項１２】
上記印刷媒体上における上記コードイメージの印刷される位置及び上記コードイメージの印刷された位置の少なくとも何れかを可視化表示する表示手段を更に具備し、
上記コード印刷位置指定手段は、上記印刷媒体上における上記コードイメージの印刷される位置を上記表示手段の表示画面上において入力指定するように構成されていることを特徴とする請求項１０に記載のコード印刷装置。
【請求項１３】
上記コードイメージは、複数のブロックより構成され、
上記各ブロックは、
上記情報のデータに応じて配列されたデータドットと、
上記データドットを読み取るときの基準となるマーカと、
上記各ブロックのアドレスを表すためのブロックアドレスと、
を具備することを特徴とする請求項１乃至１２の何れかに記載のコード印刷装置。
【手続補正３】
【補正対象書類名】明細書
【補正対象項目名】０００１
【補正方法】変更
【補正の内容】
【０００１】
【発明の属する技術分野】
本発明は、音声，音楽等の音声情報、カメラ，ビデオ機器等から得られる画像情報、及びパーソナルコンピュータ，ワードプロセッサ等から得られるテキストデータ、等を含めた所謂マルチメディア情報を光学的に読み取り可能なコードパターンイメージとして紙等の印刷媒体上に印刷記録するコード印刷装置に関する。


【手続補正４】
【補正対象書類名】明細書
【補正対象項目名】００１２
【補正方法】変更
【補正の内容】
【００１２】
本発明は、上記の点に鑑みてなされたもので、通常の文字や絵などのコードイメージ以外の情報とコードイメージ化されたマルチメディア情報とを効率よく配置して、印刷媒体上に印刷記録できるコード印刷装置を提供することを目的とする。


【手続補正５】
【補正対象書類名】明細書
【補正対象項目名】００１３
【補正方法】変更
【補正の内容】
【００１３】
【課題を解決するための手段】
上記の目的を達成するために、請求項１に記載の発明によるコード印刷装置は、情報を入力する入力手段と、上記入力手段により入力された情報から光学的に読み取り可能なコードイメージを生成するコードイメージ生成手段と、上記コードイメージ生成手段で生成された上記コードイメージを所定の印刷媒体上に光学的に読み取り可能に印刷する印刷手段と、上記印刷手段により印刷されるコードイメージの上記印刷媒体上での印刷位置を設定する印刷位置設定手段と、を具備するコード印刷装置において、上記印刷位置設定手段によって設定された印刷位置に上記コードイメージとして印刷可能な情報のデータの量を設定するデータ量設定手段と、上記入力手段により入力された情報のデータの量を検出するデータ量検出手段と、上記データ量設定手段により設定されたデータの量と、上記データ量検出手段により検出されたデータの量とを比較して、上記入力手段により入力された情報が上記印刷位置設定手段によって設定された印刷位置に上記コードイメージとして印刷できるかどうかを判断する判断手段と、上記入力手段により入力された情報が上記印刷位置に上記コードイメージとして印刷できないと上記判断手段によって判断されたときに警告を行う警告手段と、を更に備えることを特徴とする。


【手続補正６】
【補正対象書類名】明細書
【補正対象項目名】００１４
【補正方法】変更
【補正の内容】
【００１４】
また、請求項２に記載の発明によるコード印刷装置は、請求項１に記載の発明によるコード印刷装置において、上記データ量は、上記データの長さを含むことを特徴とする。
【手続補正７】
【補正対象書類名】明細書
【補正対象項目名】００１５
【補正方法】変更
【補正の内容】
【００１５】
また、請求項３に記載の発明によるコード印刷装置は、請求項１に記載の発明によるコード印刷装置において、上記印刷位置設定手段によって設定された上記印刷位置が複数有るとき、上記データ量設定手段は、上記複数の印刷位置のうち、最も多くのデータ量を印刷できる印刷位置のデータ量を設定することを特徴とする。


【手続補正８】
【補正対象書類名】明細書
【補正対象項目名】００１６
【補正方法】変更
【補正の内容】
【００１６】
また、請求項４に記載の発明によるコード印刷装置は、請求項１に記載の発明によるコード印刷装置において、上記印刷位置設定手段は、上記印刷媒体上の予め固定された位置に上記コードイメージの印刷位置を設定する固定位置設定手段を含むことを特徴とする。  
また、請求項５に記載の発明によるコード印刷装置は、請求項４に記載の発明によるコード印刷装置において、上記印刷媒体上における上記コードイメージ以外の他の情報を編集する編集手段を更に具備し、上記固定位置設定手段は、上記印刷媒体上の予め固定された位置に上記コードイメージの印刷位置を設定する際、上記印刷媒体上におけるコードイメージの、上記他の情報に対する重なり状態を検出する重なり状態検出手段を含み、上記編集手段は、上記重なり状態検出手段で検出された結果に応じて、上記他の情報を編集することを特徴とする。
また、請求項６に記載の発明によるコード印刷装置は、請求項５に記載の発明によるコード印刷装置において、上記編集手段の他の情報に対する編集は、この他の情報の上記印刷媒体上におけるレイアウトを変更する処理であることを特徴とする。
また、請求項７に記載の発明によるコード印刷装置は、請求項５に記載の発明によるコード印刷装置において、上記編集手段の他の情報に対する編集は、この他の情報を縮小する処理であることを特徴とする。
また、請求項８に記載の発明によるコード印刷装置は、請求項５に記載の発明によるコード印刷装置において、上記編集手段は、上記重なり状態検出手段で検出された結果に応じて警告を行う手段を含むことを特徴とする。
また、請求項９に記載の発明によるコード印刷装置は、請求項４に記載の発明によるコード印刷装置において、上記固定位置設定手段は、上記コードイメージの印刷位置を上記印刷媒体上の予め固定された複数の異なる位置に設定することを特徴とする。
【手続補正９】
【補正対象書類名】明細書
【補正対象項目名】００１７
【補正方法】変更
【補正の内容】
【００１７】
また、請求項１０に記載の発明によるコード印刷装置は、請求項１に記載の発明によるコード印刷装置において、上記印刷位置設定手段は、上記印刷媒体上における上記コードイメージの印刷位置を入力指定するコード印刷位置指定手段を含むことを特徴とする。
また、請求項１１に記載の発明によるコード印刷装置は、請求項１０に記載の発明によるコード印刷装置において、上記コード印刷位置指定手段は、予め上記印刷媒体上において設定された複数の上記印刷位置の中から所望の印刷位置を選択するための入力操作部を含むことを特徴とする。
また、請求項１２に記載の発明によるコード印刷装置は、請求項１０に記載の発明によるコード印刷装置において、上記印刷媒体上における上記コードイメージの印刷される位置及び上記コードイメージの印刷された位置の少なくとも何れかを可視化表示する表示手段を更に具備し、上記コード印刷位置指定手段は、上記印刷媒体上における上記コードイメージの印刷される位置を上記表示手段の表示画面上において入力指定するように構成されていることを特徴とする。
【手続補正１０】
【補正対象書類名】明細書
【補正対象項目名】００１８
【補正方法】変更
【補正の内容】
【００１８】
また、請求項１３に記載の発明によるコード印刷装置は、請求項１乃至１２の何れかに記載の発明によるコード印刷装置において、上記コードイメージは、複数のブロックより構成され、上記各ブロックは、上記情報のデータに応じて配列されたデータドットと、上記データドットを読み取るときの基準となるマーカと、上記各ブロックのアドレスを表すためのブロックアドレスと、を具備することを特徴とする。
【手続補正１１】
【補正対象書類名】明細書
【補正対象項目名】００２７
【補正方法】変更
【補正の内容】
【００２７】
外部インターフェース１２０は、パーソナルコンピュータ１０６等とのインターフェースであり、紙面印刷情報のうちドットコード化すべきディジタルコードデータを受けて、システムコントロール部１１６を介してドットコード生成部１１０にそれを与えたり、またメモリ１１８に格納された編集合成された印刷用情報をパーソナルコンピュータ１０６等に送信して不図示フロッピー（登録商標）ディスク等の外部記憶媒体に記憶させる等できるようになっている。


【手続補正１２】
【補正対象書類名】明細書
【補正対象項目名】０２２５
【補正方法】変更
【補正の内容】
【０２２５】
【発明の効果】
以上詳述したように、本発明によれば、通常の文字や絵などのコードイメージ以外の情報とコードイメージ化されたマルチメディア情報とを効率よく配置して、印刷媒体上に印刷記録できるコード印刷装置を提供することができる。